(57)【要約】【課題】カメラから離れた位置で、オペレータが、撮影開始時間及び撮影時間を確認し、所望の時間帯に移動・運動状態にある被写体の動画撮影を、適確にセルフ撮影モードで撮影するディジタルカメラを提供する。【解決手段】被写体がカメラから離れた撮影視野内にスタンバイする撮影開始までの第１の時間Ｔ１、撮影視野内の被写体が行なう移動・運動の形態に対応する撮影時間Ｔ２、必要に応じて設定される繰り返し撮影回数Ｎが、操作部２０に数値設定器６により設定され、例えば、被写体がゴルフ練習者の場合、カメラから離れた位置で撮影開始表示灯１１、撮影終了表示灯１３、これらが検知できない時はストロボ１０の識別点滅により、撮影開始時間、撮影終了時間を検知し、撮影時間帯でのクラブスイングの動画撮影をモードダイヤル２で選択するセルフ撮影モードで適確に撮影し、得られる動画撮影像を被写体のスィング矯正の資料に利用可能になる。【選択図】　　　　図３
2004112726.tif 000002
【特許請求の範囲】
【請求項１】
静止画撮影モードと動画撮影モードの切換設定を行なう撮影モード選択手段と、
撮影開始までの第１の時間を設定する第１のタイマ、及び前記第１の時間からの動画撮影時間を、第２の時間として設定する第２のタイマを備えたセルフタイマ手段と、
前記撮影モード選択手段により、前記静止画撮影モードが切換設定されると、前記第１のタイマにより設定される前記第１の時間に被写体の静止画の撮影を行い、前記動画撮影モードが切換設定されると、前記第１の時間から前記第２のタイマにより設定される前記第２の時間を撮影時間として被写体の動画の撮影を行なう撮影制御手段と
を有することを特徴とするディジタルカメラ。
【請求項２】
請求項１記載のディジタルカメラに対して、
第１のタイマ及び第２のタイマの時間設定を、オペレータの手元で行なうタイマ時間設定リモート手段がさらに設けられていることを特徴とするディジタルカメラ。
【請求項３】
請求項１記載のディジタルカメラに対して、
動画撮影モード時に、第１のタイマにより設定される動画撮影開始までの時間、第２のタイマにより設定される動画撮影の開始及び終了を通報する通報手段がさらに設けられていることを特徴とするディジタルカメラ。
【請求項４】
請求項３記載のディジタルカメラにおいて、
通報手段がオペレータの携帯自在な構成であることを特徴とするディジタルカメラ。
【請求項５】
請求項３記載のディジタルカメラにおいて、
通報手段が動画撮影の開始及び終了をストロボ発光で行なうことを特徴とするディジタルカメラ。
【請求項６】
請求項１記載のディジタルカメラに対して、
セルフタイマ手段の第１のタイマと、第２のタイマとによって、それぞれ設定される第１の時間データと第２の時間データとが格納される時間データ格納手段と、
該時間データ格納手段に格納される第１の時間データ及び第２の時間データに基づいて動画撮影を繰り返す撮影リピート手段と
がさらに設けられていることを特徴とするディジタルカメラ。
【請求項７】
請求項１記載のディジタルカメラに対して、
動画撮影モードでの撮影中止を独立設定する撮影中止リモート設定手段がさらに設けられていることを特徴とするディジタルカメラ。
【発明の詳細な説明】
【０００１】
【発明の属する技術分野】
本発明は、動画撮影機能を備えたディジタルカメラに関する。
【０００２】
【従来の技術】
近年のディジタルカメラには、静止状態の被写体の静止画像の撮影のみでなく、移動・運動状態の被写体の動画像の撮影機能も備えたものが使用されるようになり、ディジタルカメラによって、多様な撮影雰囲気下で各種の被写体の多彩な態様の撮影が行なわれている。
この種の撮影を行なうために、例えば、特開平９−２２５４８号公報には、タイマ回路で設定された所定時間経過後に、予め設定されている一定の撮影時間にわたって、セルフ撮影モードで動画撮影が行なわれるＶＴＲ一体型カメラ装置が開示されている。
【０００３】
【発明が解決しようとする課題】
この種のディジタルカメラにおいては、多様な移動・運動態様下で移動する各種の被写体の動画像撮影をセルフ撮影モードで撮影するためには、被写体の移動・運動態様が実行される時間帯に、撮影視野内における被写体の移動・運動態様に適確に対応する撮影時間にわたって、適確な動画撮影を行なうことが必要である。　このためには、撮影者（以下オペレータという）が、必要に応じてディジタルカメラの設置位置から比較的離れた位置まで移動し、比較的離れた位置に設置されたディジタルカメラの撮影開始時間と撮影終了時間とを適確に検知し、カメラの撮影視野領域にある被写体が、所定の時間帯に実行する移動・運動態様を、セルフ撮影モードによって適確に動画撮影することが必要となる。
【０００４】
例えば、ゴルフを練習中のオペレータが被写体となり、クラブによるスイングのフォームを動画撮影し、得られる動画像を観察することにより、フォームの矯正を行なおうとする場合には、オペレータは、セルフ撮影モードに設置されたディジタルカメラの撮影視野内まで、クラブとボールを持って移動し、カメラの撮影開始時点と撮影終了時点とを、カメラから離れた位置で適確に検知して、所定の時間帯にクラブのスイングを行い、セルフ撮影モードで動画像を撮影することが必要である。
しかし、前述の従来のカメラ装置では、被写体となるオペレータが、ディジタルカメラの設置位置から、比較的離れた撮影視野内まで移動した状態で、離れた位置にあるディジタルカメラから撮影開始時間と撮影終了時間とを適確に読取り検知し、予め設定される撮影時間帯において、オペレータが行なうクラブのスイングの動画撮影をセルフ撮影モードで行なうことはできない。
【０００５】
本発明は、前述したようなディジタルカメラの動画撮影の動作の現状に鑑みてなされたものであり、その目的は、オペレータがディジタルカメラから離れた位置で、カメラの撮影開始時間及び撮影終了時間を適確に検知して、所望の時間帯において、多様な移動・運動状態にある被写体の動画撮影を、適確にセルフ撮影モードで撮影することが可能なディジタルカメラを提供することにある。
【０００６】
【課題を解決するための手段】
前記目的を達成するために、請求項１記載の発明は、静止画撮影モードと動画撮影モードの切換設定を行なう撮影モード選択手段と、撮影開始までの第１の時間を設定する第１のタイマ、及び前記第１の時間からの動画撮影時間を、第２の時間として設定する第２のタイマを備えたセルフタイマ手段と、前記撮影モード選択手段により、前記静止画撮影モードが切換設定されると、前記第１のタイマにより設定される前記第１の時間に被写体の静止画の撮影を行い、前記動画撮影モードが切換設定されると、前記第１の時間から前記第２のタイマにより設定される前記第２の時間を撮影時間として被写体の動画の撮影を行なう撮影制御手段とを有することを特徴とするものである。
【０００７】
このような手段によると、撮影モード選択手段により静止画撮影モード或いは動画撮影モードが選択されて撮影が行なわれ、セルフタイマ手段を使用することにより自動撮影が行なわれるが、セルフタイマ手段では、第１のタイマにより撮影開始までの第１の時間が設定され、第２のタイマにより、第１の時間からの動画撮影時間が設定され、撮影制御手段の制御によって、静止画撮影モードでは、第１の時間に被写体の静止画の撮影が行なわれる。
一方、動画撮影モードでは、第１の時間から第２のタイマにより設定される第２の時間を撮影時間として被写体の動作の動画の撮影が行なわれ、第１の時間を被写体がカメラの撮影視野内に位置するまでの時間に設定し、第２のタイマで第２の時間を被写体の動作に対応する所定の撮影時間に設定し、所定の撮影時間の間行なわれる被写体の動作をセルフ撮影モードで動画撮影することにより、例えば、被写体の行なうゴルフのスィングの動画撮影により得られる動画像が、被写体のゴルフスイングのフォーム矯正のトレーニングに利用される。
なお、撮影された静止画または動画が保存される記録媒体はメモリカード、磁気テープなど何れのものでもよい。
【０００８】
同様に前記目的を達成するために、請求項２記載の発明は、請求項１記載のディジタルカメラに対して、第１のタイマ及び第２のタイマの時間設定を、オペレータの手元で行なうタイマ時間設定リモート手段がさらに設けられていることを特徴とするものである。
【０００９】
このような手段によると、請求項１記載の発明での作用に加えて、タイマ時間設定リモート手段によって、第１のタイマ及び第２のタイマの時間設定がオペレータの手元で行なわれ、撮影直前の被写体の状態や撮影雰囲気条件に対応して、セルフタイマ撮影が適確に行なわれる。
【００１０】
同様に前記目的を達成するために、請求項３記載の発明は、請求項１記載の発明に対して、動画撮影モード時に、第１のタイマにより設定される動画撮影開始までの時間、第２のタイマにより設定される動画撮影の開始及び終了を通報する通報手段がさらに設けられていることを特徴とするものである。
【００１１】
このような手段によると、請求項１記載の発明での作用に加えて、オペレータが通報手段から、第１のタイマにより設定される動画撮影開始までの時間、第２のタイマにより設定される動画撮影の開始及び終了の通報を取得することにより動画撮影がスムーズに実行される。
【００１２】
同様に前記目的を達成するために、請求項４記載の発明は、請求項３記載の発明において、通報手段がオペレータの携帯自在な構成であることを特徴とするものである。
【００１３】
このような手段によると、請求項３記載の発明での作用に加えて、通報手段がオペレータの携帯自在な構成なので、カメラから離れた位置からでも、動画撮影開始までの時間、動画撮影の開始及び終了の通報が適確に把握され、動画撮影がよりスムーズに実行される。
【００１４】
同様に前記目的を達成するために、請求項５記載の発明は、請求項３記載の発明において、通報手段が動画撮影の開始及び終了をストロボ発光で行なうことを特徴とするものである。
【００１５】
このような手段によると、請求項３記載の発明での作用に加えて、通報手段が動画撮影の開始及び終了をストロボ発光で行なうので、オペレータは、カメラから離れた位置からでも、或いは夜間時にも動画撮影の状態を適確に把握し、動画撮影がスムーズに実行される。
【００１６】
同様に前記目的を達成するために、請求項６記載の発明は、請求項１記載の発明に対して、セルフタイマ手段の第１のタイマと第２のタイマとによって、それぞれ設定される第１の時間データと第２の時間データとが格納される時間データ格納手段と、該時間データ格納手段に格納される第１の時間データ及び第２の時間データに基づいて、動画撮影を繰り返す撮影リピート手段とがさらに設けられていることを特徴とするものである。
【００１７】
このような手段によると、請求項１記載の発明での作用に加えて、セルフタイマ手段の第１のタイマと第２のタイマとによって、それぞれ設定される第１の時間データと第２の時間データとが、時間データ格納手段に格納され、撮影リピート手段によって、時間データ格納手段に格納される第１の時間データ及び第２の時間データに基づいて動画撮影が繰り返されるので、例えば、ゴルフスィングのフォームを目標姿勢に近付けるトレーニングの成果が、複数回の撮影姿勢により適確に把握される。
【００１８】
同様に前記目的を達成するために、請求項７記載の発明は、請求項１記載の発明に対して、動画撮影モードでの撮影中止を独立設定する撮影中止リモート設手段がさらに設けられていることを特徴とするものである。
【００１９】
このような手段によると、請求項１記載の発明での作用に加えて、撮影中止モード設定手段によって、オペレータにより任意の時点で、動画撮影モードでの撮影動作が中止できるので、被写体の動作条件に適確に対応して、動画撮影が効率的に行なわれる。
【００２０】
【発明の実施の形態】
以下に本発明の一実施の形態を、図１ないし図６を参照して説明する。
図１は本実施の形態の外観構成を示す背面図、図２は本実施の形態の外観をリモコンと共に示す正面図、図３は本実施の形態の全体構成を示すブロック図、図４は本実施の形態の撮影条件の設定に伴う撮影動作を示すフローチャート、図５は本実施の形態の静止画セルフ撮影モードでの撮影動作を示すフローチャート、図６は本実施の形態の動画セルフ撮影モードでの撮影動作を示すフローチャートである。
【００２１】
本実施の形態では、図１に示すように、ディジタルカメラ１５の背面のほぼ中央に各種の画像が表示される液晶ディスプレイ８が設けられ、液晶ディスプレイ８の下縁部近傍に、液晶ディスプレイ８の表示メニューを選択設定するメニュー選択釦５と、各種の設定の確定を行なう入力釦３とが並設配置され、液晶ディスプレイ８の一方の側縁部近傍に、セットアップ（ＳＥＴ　ＵＰ）モード、スチルモード（静止画撮影モード）、ビデオモード（動画撮影モード）、再生モードなどの各種の動作モードの選択設定を行なうモードダイヤル２が、他方の側縁部近傍には、インクリース釦６ａとディクリース釦６ｂからなり、第１の時間Ｔ１、第２の時間Ｔ２、リピート回数Ｎを設定する数値設定器６がそれぞれ配設され、ディジタルカメラ１５の上面には、撮影開始操作を行なうレリーズ釦１が配設されている。
【００２２】
一方、図２に示すように、ディジタルカメラ１５の表面のほぼ中央の一方の側縁部近傍に、撮影開始時に点滅する撮影開始表示灯１１が、他方の側縁部近傍に撮影終了時に点滅する撮影終了表示灯１３がそれぞれ配設され、撮影開始表示灯１１の下方に数値表示器１２が、撮影終了表示灯１３の上方近傍にストロボ１０が配設されている。また、本実施の形態では、ディジタルカメラ１５との間で信号の授受が行なわれるリモコン１６が使用され、このリモコン１６には制御の設定と動画撮影の開始及び終了の通報を行なうスピーカ１７が配設されている。
【００２３】
本実施の形態には、図３に示すように、全体の動作を制御するＣＰＵ２１が設けられ、このＣＰＵ２１には、レリーズ釦１、モードダイヤル２、数値設定器６、メニュー選択釦５及び入力釦３からなる操作部２０が接続され、また、ＣＰＵ２１には、ストロボ１０、液晶ディスプレイ８及び撮影処理部２２が接続されている。この撮影処理部２２には、停止画撮影ユニット２３、動画撮影ユニット２４が設けられ、さらに、メモリカード２５が着脱自在に配設されている。
同様に、ＣＰＵ２１には、信号のインタフェース動作を行なうインタフェース回路２７が接続され、インタエース回路２７にはワイヤレス送受信機２６が接続され、ワイヤレス送受信機２６には、リモコン１６がワイヤレスに接続され、さらに、ＣＰＵ２１には、数値表示器１２、撮影開始表示灯１１及び撮影終了表示灯１３が接続されている。
【００２４】
このような構成の本実施の形態においては、被写体の静止画撮影が行なわれる場合には、静止画撮影ユニット２３において、ＣＣＤから出力される撮像信号に、相関２重サンプリングによる低雑音化処理、レベル補正、ＮＴＳＣ信号のサブキャリア周波数の整数倍のサンプリング周波数でのＡＤ変換が施された後に、ガンマ処理と色分解処理によって、輝度信号と色差信号が作成されるディジタル信号処理が行なわれる。
そして、画像表示を行なう場合には、作成される輝度信号と色差信号に基づき、画像表示信号が作成され、得られる画像表示信号に基づいて、ＤＡ変換されて得られる被写体の静止画が液晶ディスプレイ８に表示される。
【００２５】
一方、メモリカード２５への記録を行なう場合には、前述のようにして得られる輝度信号と色信号に対して、直交変換やハフマン符号化によりＪＰＥＧ方式で圧縮処理が施された後に、メモリカード２５への記録格納が行なわれる。また、メモリカードに記録格納された画像データを読出し表示する場合は、読み出されたＪＰＥＧ圧縮データが、リアルタイムに伸長された後に画像表示信号が作成され、得られる画像表示信号に基づいて、液晶ディスプレイ８にメモリカード２５の記録画像データに基づく画像表示が行なわれる。
一方、被写体の動画撮影が行なわれる場合には、基本的な動作は静止画撮影の場合と同様に行なわれるが、動画撮影ユニット２４で得られる撮像信号に対して、静止画撮影ユニット２３の場合には、撮像信号のフレーム毎にディジタル信号処理が行なわれるのとは異なり、撮像信号の各フィールドごとにディジタル信号処理が行なわれ、メモリカード２５には、ＰＥＧ圧縮された画像データと、別途取得される記録音声データとが、交互に配列された動画像ファイルが記録格納される。
【００２６】
本実施の形態では、オペレータが操作部２０を直接操作することにより、或いは、リモコン１６の操作を介して、操作部２０を間接的に操作することにより、各種の撮影動作条件を設定し、設定される撮影動作条件下ての被写体の撮影が実行される。
この場合に設定される撮影動作条件の内で、撮影開始までの第１の時間Ｔ１、第１の時間Ｔ１からの動画撮影時間を設定する第２の時間Ｔ２、及び撮影の繰り返し回数Ｎの設定を行なうＳＥＴＵＰ処理が、本実施の形態独自の重要な撮影動作条件の設定となる。このＳＥＴＵＰ処理においては、モードダイヤル２によるＳＥＴＵＰモードの設定後に、メニュー選択釦５、数値設定器６のインクリース釦６ａ及びデクリース釦６ｂの選択操作によって、第１の時間Ｔ１、第２の時間Ｔ２及び繰り返し回数Ｎの設定が行なわれる。この場合、設定された第１の時間Ｔ１、第２の時間Ｔ２及び繰り返し回数のデータは、メニュー選択釦５の操作によって数字表示器１２に表示される。
【００２７】
本実施の形態のＳＥＴＵＰ処理とそれに伴う撮影動作を、図４ないし図６のフローチャートを参照して説明する。
ディジタルカメラ１５による被写体の撮影に際しては、先ず、図４のフローチャートのステップＳ１で、ＣＰＵ２１の指令によって、ＳＥＴＵＰ処理が必要か否かの判定が行なわれ、最初の時点ではＳＥＴＵＰが未処理なので、ステップＳ１ではＳＥＴＵＰ処理が必要と判定されてステップＳ４に進む。ステップＳ４では、オペレータによって、実行しようとする撮影に際して、所望の第１の時間Ｔ１と第２の時間Ｔ２が選定され、さらに、繰り返し撮影を行なう場合には所望の繰り返し回数Ｎが選定される。
次いで、ステップＳ５に進み、ステップＳ４で選定された第１の時間Ｔ１、第２の時間Ｔ２及び繰り返し回数Ｎのデータが操作部２０から設定入力され、さらに、オペレータにより静止画撮影モードと動画撮影モードの選択を含む他の撮影動作条件の設定入力が行なわれることにより撮影準備が完了する。
この場合、オペレータがリモコン１６を携帯していると、設定された第１の時間Ｔ１、第２の時間Ｔ２及び繰り返し回数Ｎは、リモコン１６に表示されてオペレータへの通報が行なわれる。
【００２８】
このようにして、ＳＥＴＵＰ処理が終了した状態では、図４のフローチャート　のステップＳ１の判定はＮＯとなり、ステップＳ２に進んで、ＣＰＵ２１の指令によって、操作部２０において静止画モードが設定されているか否かの判定が行なわれ、静止がモードが設定されていると判定されると、ステップＳ９に進んで、ＣＰＵ２１の指令によって、設定されている静止画モードデータが取り込まれる。
そして、ステップＳ１０に進んで、ＣＰＵ２１の指令によって、セルフ撮影モードが設定されているか否かが判定され、セルフ撮影モードか設定されていないと判定されると、ステップＳ１３に進んで、オペレータの手動操作による被写体の静止画撮影が行なわれる。
【００２９】
一方、ステップＳ１０で、セルフ撮影モードが設定されていると判定されると、ステップＳ１１に進んで、ＣＰＵ２１の指令によって静止画セルフ撮影モードへの移行が行なわれる。
この場合には、図５のフローチャートに従った動作が継続実行され、同図のステップＳ２１において静止画セルフ撮影モードがスタートし、ステップＳ２２に進んで、レリーズ釦１がＯＮ操作されているか否かが判定され、レリーズ釦１のＯＮ操作が確認されると、ステップＳ２３に進んで、ＣＰＵ２１の指令によって、第１の時間Ｔ１が設定されている第１のタイマの計数が開始される。
次いで、ステップＳ２４に進んで、ＣＰＵ２１の指令によって、第１のタイマの計数値が時間Ｔ１に達したか否かの判定が行なわれ、計数値が第１の時間Ｔ１に達していないと判定されると計数が継続され、ステップＳ２４で計数値が時間Ｔ１に達したと判定されると、ステップＳ２５に進んで、ＣＰＵ２１の指令によって、セルフ撮影モードによる被写体の静止画撮影が行なわれる。
【００３０】
ここで、図４のフローチャートに戻って、ＣＰＵ２１の指令によって、ステップＳ２で、操作部２０で静止画撮影モードの設定が行なわれていないと判定されると、ステップＳ３に進んで、ＣＰＵ２１の指令によって、動画撮影モードの設定が行なわれているか否かの判定が行なわれ、動画撮影モードの設定が行なわれていないと判定されると処理を終了する。
一方、ステップＳ３で動画撮影モードが設定されていると判定されると、ステップＳ６に進んで、ＣＰＵ２１の指令によって、設定されている動画モードデータが取り込まれる。そして、ステップＳ７に進んで、ＣＰＵ２１の指令によって、セルフ撮影モードが設定されているか否かが判定され、セルフ撮影モードか設定されていないと判定されると、ステップＳ１２に進んで、オペレータの手動操作によって被写体の動画撮影が行なわれる。
【００３１】
一方、ステップＳ７で、セルフ撮影モードが設定されていると判定されると、ステップＳ８に進んで、ＣＰＵ２１の指令によって動画セルフ撮影モードへの移行が行なわれる。
この場合には、図６のフローチャートに従った動作が継続実行され、同図のステップステップＳ３１において動画セルフ撮影モードがスタートし、ステップＳ３２に進んで、レリーズ釦１がＯＮ操作されているか否かが判定され、レリーズ釦１のＯＮ操作が確認されると、ステップＳ３３に進んで、ＣＰＵ２１の指令によって、第１の時間Ｔ１が設定されている第１のタイマの計数が開始される。
次いで、ステップＳ３４に進んで、ＣＰＵ２１の指令によって、第１のタイマの計数値が時間Ｔ１に達したか否かの判定が行なわれ、計数値が第１の時間Ｔ１に達していないと判定されると計数が継続され、ステップＳ３４で計数値が時間Ｔ１に達したと判定されると、ＣＰＵ２１の指令によって、ステップＳ３６で、撮影開始表示灯１１が点滅を開始すると共に、ステップＳ３５で、第２の時間Ｔ２が設定されている第２のタイマの計数が開始される。
【００３２】
そして、ステップＳ３７に進んで、ＣＰＵ２１の指令によって、第２のタイマの計数値が時間Ｔ２に達したか否かの判定が行なわれ、計数値が第２の時間Ｔ２に達していないと判定されると計数が継続され、ステップＳ３７で計数値が時間Ｔ２に達したと判定されると、ステップＳ３８に進んで、ＣＰＵ２１の指令によって、セルフ撮影モードによる被写体の動画撮影が終了する。
次いで、ＣＰＵ２１の指令によって、ステップＳ４０で、撮影終了表示灯１３が点灯すると共に、ステップＳ３９で、繰り返し回数が設定されるカウンタの計数値が−１され、ステップＳ４１に進んで、カウンタに設定された繰り返し回数Ｎが０となるか否かが判定され、Ｎ＝０と判定されると処理を終了し、Ｎ≠０と判定された場合は、繰り返し撮影が行なわれるので、ステップＳ３２に戻って、以上に説明した動作が繰り返される。
【００３３】
以上に説明した本実施の形態において、ディジタルカメラ１５をオペレータから比較的離れた位置にセットして、セルフ撮影モードによる被写体の動画撮影を行なう場合、或いは、夜間においてセルフ撮影モードによる被写体の動画撮影を行なう場合には、オペレータの選択設定によって、撮影開始表示灯１１と撮影終了表示灯１３に代えて、ストロボ１０を使用し、撮影開始の表示にはストロボ１０を高速点滅させ、撮影終了の表示にはストロボ１０を低速点滅させることにより、オペレータへの通報が行なわれるか、或いは、リモコン１６のスピーカ１７からの音声通報により、撮影開始時点と撮影終了時点のオペレータへの通報が音声で行なわれる。
また、本実施の形態では、リモコン１６からは、予め設定した第２の時間Ｔ２とは独立に、撮影中止指令を発することにより、撮影中止を要する事態が発生した場合には、ディジタルカメラ１５の撮影動作は中止される。
【００３４】
このようにして、本実施の形態によると、第１のタイマに被写体がカメラの撮影視野内にスタンバイする撮影開始までの第１の時間Ｔ１、第２のタイマに撮影時間となる第２の時間Ｔ２を設定し、必要に応じて、所定のカウンタに繰り返し撮影回数Ｎを設定し、リレーズ釦１をＯＮして、セルフ撮影モードによる被写体の動画撮影動作をスタートさせると、カメラの撮影視野内に位置する被写体は、カメラから離れた位置から、撮影開始表示灯１１により撮影開始時間、撮影終了表示灯１３により撮影終了時間を検知し、撮影開始表示灯１１、撮影終了表示灯１３が認識できない距離にある時や夜間では、ストロボ１０の識別点滅により、撮影開始時間と撮影終了時間を検知し、所定の撮影時間帯の間、被写体のセルフ撮影モードによる動画撮影が、必要時にはＮ回繰り返して行なわれる。、
【００３５】
このために、本実施の形態によると、例えば、被写体がゴルフ練習者の場合、ディジタルカメラ１５から離れた位置において、撮影開始表示灯１１、撮影終了表示灯１３の表示を検知認識することにより、これらの表示が検知認識できない距離に位置した場合や、夜間で表示が検知認識できない場合には、ストロボ１０の撮影開始と撮影終了に対応する識別点滅の検知識別により、撮影開始時間と撮影終了を検知し、撮影時間帯での被写体のクラブスイングの動画撮影をモードダイヤル２で選択するセルフ撮影モードで適確に撮影し、得られる動画撮影像を被写体のスィング矯正の検討に利用することが可能になる。
【００３６】
或いは、夜間の所定の時間帯にのみ観察できる被写体の移動や動作の状態、例えば特定動物の夜間の生態を、観察撮影視野に固定したディジタルカメラ１５を、特定時間に撮影が開始されるようにセルフ撮影モードにセットし、特定動物を驚かさずに自然の状態での撮影を行なうために、オペレータは、観察撮影視野から離れた場所に待機し、ストロボ１０の識別点滅により、撮影開始時間と撮影終了を認識しながら、夜間の特定時間の特定動物の生態動画撮影を適確に行なうことが可能になる。
また、上記の実施の形態では記録された静止画や、動画の記録媒体をメモリカードとしたが、この他に磁気テープ、光ディスクなど何れのものとしてもよい。
【００３７】
【発明の効果】
請求項１記載の発明によると、撮影モード選択手段によって、静止画撮影モード或いは動画撮影モードが選択されて撮影が行なわれ、セルフタイマ手段を使用することにより自動撮影が行なわれるが、セルフタイマ手段では、第１のタイマにより撮影開始までの第１の時間が設定され、第２のタイマにより、第１の時間からの動画撮影時間が第２の時間として設定され、撮影制御手段の制御によって、静止画撮影モードでは、第１の時間に被写体の静止画の撮影が行なわれ、動画撮影モードでは、第１の時間から第２のタイマにより設定される第２の時間を撮影時間として被写体の動画の撮影が行なわれる。
このために、第１の時間を被写体がカメラの撮影視野内に位置するまでの時間に設定し、第２の時間を被写体の動作に対応する所定の撮影時間に設定し、撮影時間内に行なわれる被写体の動作の動画撮影を行なうことにより、所定の時間帯での被写体の動作に適確に対応する動画撮影がセルフ撮影モードで行なわれ、例えば、被写体の行なうゴルフのスィングの動画撮影により得られる動画像を、被写体のゴルフスイングのフォーム矯正の資料に利用することが可能になる。
【００３８】
請求項２記載の発明によると、請求項１記載の発明で得られる効果に加えて、タイマ時間設定リモート手段によって、第１のタイマ及び第２のタイマの時間設定をオペレータの手元で行なうことにより、撮影直前の被写体の状態や雰囲気条件に対応して、セルフタイマ撮影を適確に行なうことが可能になる。
【００３９】
請求項３記載の発明によると、請求項１記載の発明で得られる効果に加えて、オペレータは、通報手段から第１のタイマにより設定される動画撮影開始までの時間、第２のタイマにより設定される動画撮影の開始及び終了の通報を取得することにより、動画撮影をスムーズに実行することが可能になる。
【００４０】
請求項４記載の発明によると、請求項３記載の発明で得られる効果に加えて、通報手段がオペレータの携帯自在な構成なので、カメラから離れた位置からでも、動画撮影開始までの時間、動画撮影の開始及び終了の通報を適確に把握して、動画撮影をよりスムーズに実行することが可能になる。
【００４１】
請求項５記載の発明によると、請求項３記載の発明で得られる効果に加えて、
通報手段が動画撮影の開始及び終了をストロボ発光で行なうので、オペレータは、カメラから離れた位置からでも、或いは夜間の時間帯でも動画撮影の状態を適確に把握して、動画撮影をスムーズに実行することが可能になる。
【００４２】
請求項６記載の発明によると、請求項１記載の発明で得られる効果に加えて、セルフタイマ手段の第１のタイマと第２のタイマとによって、それぞれ設定される第１の時間データと第２の時間データとが、時間データ格納手段に格納され、撮影リピート手段によって、時間データ格納手段に格納される第１の時間データ及び第２の時間データに基づいて動画撮影が繰り返されるので、例えば、ゴルフスィングのフォームを目標姿勢に近付けるトレーニングの成果を、複数回の撮影姿勢により適確に把握することが可能になる。
【００４３】
請求項７記載の発明によると、請求項１記載の発明で得られる効果に加えて、撮影中止モード設定手段によって、オペレータは任意の時点で、動画撮影モードでの撮影動作を中止することができるので、被写体の動作条件に適確に対応して、動画撮影を効率的に行なうことが可能になる。
【図面の簡単な説明】
【図１】本発明の一実施の形態の外観構成を示す背面図である。
【図２】同実施の形態の外観をリモコンと共に示す正面図である。
【図３】同実施の形態の全体構成を示すブロック図である。
【図４】同実施の形態の撮影条件の設定に伴う撮影動作を示すフローチャートである。
【図５】同実施の形態の静止画セルフ撮影モードでの撮影動作を示すフローチャートである。
【図６】同実施の形態の動画セルフ撮影モードでの撮影動作を示すフローチャートである。
【符号の説明】
２　モードダイヤル
５　メニュー選択釦
６　数値設定器
８　液晶ディスプレイ
１０　ストロボ
１１　撮影開始表示灯
１２　数値表示器
１３　撮影終了表示器
１５　ディジタルカメラ
１６　リモコン
２０　操作部
２１　ＣＰＵ
２２　撮影処理部
【図１】
2004112726.tif 000003
【図２】
2004112726.tif 000004
【図３】
2004112726.tif 000005
【図４】
2004112726.tif 000006
【図５】
2004112726.tif 000007
【図６】
2004112726.tif 000008